(57)【特許請求の範囲】
【請求項１】
フィルムの両面に導電性高分子を塗布してこれらを電極として通電することでフィルムの振動エネルギーに変換してサイレンや音声を発生するようにした０．０４〜０．５ｍｍ厚の薄いシート状のスピーカーをステッカーの大きさとし、この薄いシート状のスピーカーを多重状に配設してスピーカー自体の表面側に防犯や警告または広告の表示をするとともに、
上記スピーカー自体の裏面側に１〜３ｍｍ厚さのスポンジまたは発泡シートの通気性シートを取り付けて建物の開閉部や広告の広告部に貼り付けて設置するようにし、
ドアーや窓の開閉部や広告部の標識部に検知センサーや感知センサーのセンサーを配設してこのセンサーの検出で上記スピーカーを作動して警報や音声を発生させるようにしたことを特徴とするシート状防犯等の警告装置。
【請求項２】
薄いシート状のスピーカー自体の表面に印刷による警報表示をした請求項１に記載のシート状防犯等の警告装置。
【請求項３】
薄いシート状のスピーカー自体の裏面側に１〜３ｍｍ深さの空洞部を設けて支持材を取り付けて建物の開閉部や広告の広告部に貼り付けて設置するようにした請求項１または２に記載のシート状防犯等の警告装置。
【請求項４】
薄いシート状のスピーカー自体の表面側にＥＬシートを貼り付けて所要の表示や発光させるようにして警報表示をした請求項１に記載のシート状防犯等の警告装置。
【請求項５】
薄いシート状のスピーカーを２重に配設した請求項１ないし４のいずれかに記載のシート状防犯等の警告装置。
【発明の詳細な説明】
【技術分野】
【０００１】
本発明は、防犯分野や広告分野におけるシート状防犯等の警告装置に関するものである。
【背景技術】
【０００２】
近年、マンションや住宅、オフィス等の事務所のドアーをピッキングして開けたり、ガラス窓を割って内部に不法侵入して、貴重品や現金、通帳、パスポートなどを盗む盗難事件が多くなっている。また、ときとして殺傷事件に至ることもある。
【０００３】
一部の住宅やオフィスでは、セキュリティシステムを導入して防犯対策を講じているが、不法侵入者は短時間で侵入して逃亡するので、セキュリティシステムの実効がはかれないことが多い。そのため、住民や所員らは市販されているいろいろな防犯装置を設置することを考え、また実際に設置することも行われている。
【０００４】
そこで、防犯装置について特許調査をした結果、実用新案登録第３０１８４４４号公報、再公表特許ＷＯ０１／０２２３７８号公報、特開２００３−１８７３３９号公報などが検出された。
【０００５】
実用新案登録第３０１８４４４号公報は、窓等の内側の窓枠の中央付近の鍵フックの下部等目立たないところに取り付け、外側と内側の窓をスライドすることによりできる空間が共鳴体となることで、侵入者が不法侵入したことを知らせることを提案している。
【０００６】
再公表特許ＷＯ０１／０２２３７８号公報は、ガラスの片面に透明電極層を設けてガラスの周囲の全部又は一部を支持し、その枠体をアースして上記透明電極層間の静電容量を検出する検出回路を備えたガラスセンサーを提案している。
【０００７】
特開２００３−１８７３３９号公報は、検知ユニットを玄関扉の屋外側に、スピーカーの警戒装置本体を玄関扉の屋内側に連結部の中央片を玄関扉の上端部に載置するようにして玄関扉に取り付けることを提案している。
【特許文献１】実用新案登録第３０１８４４４号公報
【特許文献１】再公表特許ＷＯ０１／０２２３７８号公報
【特許文献１】特開２００３−１８７３３９号公報
【０００８】
しかし、これらの発明は、防犯に対処することができるが、窓枠の鍵フックの下部や、ガラス体、扉の上端部に設置場所が限られるとともに、ときとして集合住宅では設置することができない場合がある。
【発明の開示】
【発明が解決しようとする課題】
【０００９】
本発明の解決しようとする問題点は、集合住宅などで適宜の位置に簡単に貼り付けて設置できなく、また管理組合などの許可のもとで構造を変えなくてはならなく、設置に大いに制限される点にある。
【課題を解決するための手段】
【００１０】
本発明は、上記のような点に鑑みたもので、上記の課題を解決するために、フィルムの両面に導電性高分子を塗布してこれらを電極として通電することでフィルムの振動エネルギーに変換してサイレンや音声を発生するようにした０．０４〜０．５ｍｍ厚の薄いシート状のスピーカーをステッカーの大きさとしし、この薄いシート状のスピーカーを多重状に配設しててこのスピーカー自体の表面側に防犯や警告または広告の表示をするとともに、上記スピーカー自体の裏面側に１〜３ｍｍ厚さのスポンジまたは発泡シートの通気性シートを取り付けて建物の開閉部や広告の広告部に貼り付けて設置するようにし、ドアーや窓の開閉部や広告部の標識部に検知センサーや感知センサーのセンサーを配設してこのセンサーの検出で上記スピーカーを作動して警報や音声を発生させるようにしたことを特徴とするシート状防犯等の警告装置を提供するものである。
【００１１】
また、薄いシート状のスピーカー自体の表面に印刷による警報表示をしたシート状防犯等の警告装置を提供するものである。
【００１２】
また、薄いシート状のスピーカー自体の裏面側に１〜３ｍｍ深さの空洞部を設けて支持材を取り付けて建物の開閉部や広告の広告部に貼り付けて設置するようにしたシート状防犯等の警告装置を提供するものである。
【００１３】
さらに、薄いシート状のスピーカー自体の表面側にＥＬシートを貼り付けて所要の表示や発光させるようにして警報表示をしたシート状防犯等の警告装置を提供するものである。
【００１４】
またさらに、薄いシート状のスピーカーを２重に配設したシート状防犯等の警告装置を提供するものである。
【発明の効果】
【００１５】
本発明のシート状防犯等の警告装置は、フィルムの両面に導電性高分子を塗布してこれらを電極として通電することでフィルムの振動エネルギーに変換してサイレンや音声を発生するようにした０．０４〜０．５ｍｍ厚の薄いシート状のスピーカーをステッカーの大きさとし、この薄いシート状のスピーカーを多重状に配設してスピーカー自体の表面側に防犯や警告または広告の表示をすることによって、アンプで調音された多種類の共鳴音源を前後のスピーカーから出力でき、共鳴がなされて上記した０．０４〜０．５ｍｍ厚の薄いシート状のスピーカーの音圧レベルを大幅に向上できて、０．０４〜０．５ｍｍ厚の薄いシート状のスピーカーによる警報、広告等ができるものである。
そして、上記スピーカー自体の裏面側に１〜３ｍｍ厚さのスポンジまたは発泡シートの通気性シートを取り付けて建物の開閉部や広告の広告部に貼り付けて設置するようにし、ドアーや窓の開閉部や広告部の標識部に検知センサーや感知センサーのセンサーを配設してこのセンサーの検出で上記スピーカーを作動して警報や音声を発生させるようにしたことによって、スピーカーと設置面との間に通気空間が設けられて空気の振動を阻害するのを防止でき、上記装置を薄状の状態でスピーカーのもつ性能をより効率よく発揮するようにでき、スピーカーで警報できる装置を防犯が必要なドアーや窓、広告が必要な広告部に両面接着テープ、粘着剤等を介して簡単に貼り付けて設置することができる。そして、侵入者等がドアーや窓の開閉部を開いたり、広告部に位置すると、センサーで検出して上記スピーカーを作動してサイレンを発したり、案内情報を発するようにして防犯や宣伝、広告が行える。
【００１６】
また、薄いシート状のスピーカー自体の表面に印刷による警報表示をしたことによって、上記のように０．０４〜０．５ｍｍ厚の薄いシート状のスピーカーで防犯が必要なドアーや窓、広告が必要な広告部に両面接着テープ、粘着剤等を介して簡単に貼り付けて設置することができ、センサーで検出して上記スピーカーを作動してサイレンを発したり、案内情報を発するようにして防犯や宣伝、広告が行える。
【００１７】
また、薄いシート状のスピーカー自体の裏面側に１〜３ｍｍ深さの空洞部を設けて支持材を取り付けて建物の開閉部や広告の広告部に貼り付けて設置することによって、０．０４〜０．５ｍｍ厚の薄いの振動を効果的にできて、空気に振動をよりよく伝達でき、音量を大きくできて防犯や宣伝、広告が行える。
【００１８】
さらに、薄いシート状のスピーカー自体の表面側にＥＬシートを貼り付けて所要の表示や発光させるようにして警報表示をしたことによって、スピーカー自体の表面側にＥＬシートを介して表示して、上記のように案内情報を発せられたり、防犯や宣伝、広告が行える。
【００１９】
またさらに、薄いシート状のスピーカーを２重に配設したことによって、アンプで調音された共鳴音源を前後のスピーカーから出力でき、共鳴がなされて上記した０．０４〜０．５ｍｍ厚の薄いシート状のスピーカーの音圧レベルを大幅に向上できる。
【発明を実施するための最良の形態】
【００２０】
また、本発明のシート状防犯等の警告装置は、フィルムの両面に導電性高分子を塗布してこれらを電極として通電することでフィルムの振動エネルギーに変換してサイレンや音声を発生するようにした０．０４〜０．５ｍｍ厚の薄いシート状のスピーカーをステッカーの大きさとし、この薄いシート状のスピーカーを多重状に配設してスピーカー自体の表面側に防犯や警告または広告の表示をするとともに、上記スピーカー自体の裏面側に１〜３ｍｍ厚さのスポンジまたは発泡シートの通気性シートを取り付けて建物の開閉部や広告の広告部に貼り付けて設置するようにし、ドアーや窓の開閉部や広告部の標識部に検知センサーや感知センサーのセンサーを配設してこのセンサーの検出で上記スピーカーを作動して警報や音声を発生させるようにしたことを特徴としている。
【００２１】
防犯等の警告装置１は、図１のように０．０４〜０．５ｍｍ厚のステッカーの大きさ位の薄いシート状のスピーカー２の表面側に防犯や警告、広告等の表示３を直接又は表示用シート４を介して表示するようにし、裏面側に通気性や防水性の両面接着テープ５を貼着したり、粘着剤を適度の間隔で塗布して１〜３ｍｍ厚さのスポンジや発泡スチロールの発泡シート等の通気性シート６を貼り付け、さらに両面接着テープ７を貼り付けたりして、建物のドアーや窓等の開閉部８や、広告が必要な広告部、その他立入禁止の標識部等に簡単に貼り付けて設置できるもので、図２のように上記したシート状のスピーカー２を２重状ないし多重状に重ね合わせ、アンプで調音された多種類の共鳴音源を前後のスピーカーから出力でき、共鳴がなされて音圧レベルを大幅に向上するようにしている。
【００２２】
上記薄いシート状のスピーカー２としては、サウンドフィルム（商品名）などとして市販され、図３のようにフィルム９の両面に導電性高分子１０、１１を塗布したりしてこれらを電極として通電することで、その電気エネルギーをフィルム９の振動エネルギーに変換してサイレンや音声等を発生するようにしているものを使用できる。
【００２３】
しかし、上記シート状のスピーカー２をそのままの状態でドアーや窓等の設置面に貼り付けると、スピーカー２のフィルム９の振動が阻害され、音量が著しく小さくなって実用的とならなかった。
【００２４】
そこで、上記したようにスポンジや発泡シート等の通気性シート６を介挿して貼り付けるようにすると、スピーカー２と設置面との間に通気空間が設けられて空気の振動を阻害するのを防止でき、上記装置を薄状の状態でスピーカー２のもつ性能をより効率よく発揮することができ、音量を２０〜３０％増大でき、音質も向上できる。
【００２５】
上記防犯等の警告装置１は、図４のように建物のドアーの開閉部８や、図５のように窓の開閉部８の所要の設置面に両面接着テープ７で容易に貼り付けて設置することができる。
【００２６】
なお、これらの防犯等の警告装置１には、侵入者がドアーや窓等の開閉部８を開いたり、広告部の標識等に位置すると、センサー１２で検出し、上記のスピーカー２を作動してサイレンを発したり、案内情報を発するように所要の制御器１３を接続して防犯や宣伝、広告が行える。必要により、コードレスとすることもできる。
【００２７】
上記センサー１２としては、マイクロスイッチや振動センサー等の機械式のもの、マグネットセンサーや近接リミットセンサー等の電気式のもの、赤外線センサー等の光線式のものなど、設置場所に対応して適宜のものを採択することができる。
【００２８】
また、図６のように上記したスピーカー２の表面側にＥＬシート１４を貼り付けて図のように所要の表示や発光させたりすることが容易に行え、ドアーや窓部等の美感を損なうことなく、サイレン等を発生するようにできる。また、スピーカー２とＥＬシート１４を一体化させることもできる。
【００２９】
また、上記防犯等の警告装置１の表面側（必要により側周部を含められる）に空気を通過するが水分を外側から内側に通過させない半通過性の防水シートを貼り付けて、この防水シートに警報表示等の表示を施すこともできる。このようにすると、装置に雨水等がかかっても、防水作用を発揮するようにできて装置を侵水から保護できて耐久化がはかれる。
【００３０】
またさらに、図７のようにスピーカー２の裏面側に大きく空洞部１６を設けるように１〜３ｍｍ厚さの矩形状枠の支持材１７を貼り付け、所要の設置面に両面接着テープ等を介して貼りつけるようにすることもできる。こうすると、空洞部１６によってシート状のスピーカーの振動を効果的にできて、空気に振動をよりよく伝達でき、音量を大きくできて好ましい。
【００３１】
上記したスピーカー２の裏面側には、図８（ａ）、（ｂ）のような両側だけの支持材１７としたり、中央部に十字状等の中間材１８を設けて補強するなど、本発明の趣旨の範囲に適宜の変形態様を実施できる。
【００３２】
特に、図９のように上記したシート状のスピーカー２を２重に重ね合わせ、アンプで調音された共鳴音源を前後のスピーカーから出力でき、共鳴がなされて音圧レベルを大幅に向上するようにできる。２重位が実用的である。
【００３３】
なお、上記スピーカー２の表面に直接に警報表示等の印刷をすることもできるとともに、サイレンの他に柔らかなメロディを発生させることも可能であり、またこれらの装置１は上記の他、ポスター等の広告、立入禁止区域の標示部への設置など、本発明の趣旨にもとづいて広く利用することができる。
【実施例】
【００３４】
図１以下は、本発明の実施例を示すものである。シート状防犯等の警告装置１を縦１０ｃｍ、横２５ｃｍの大きさに形成し、２ｍｍ厚さの発泡スチロールの通気性シート６を貼着して図２のようにスピーカー２を２重に重ね合わせたものを、図４のように集合住宅のドアーの開閉部８に両面接着テープ７を介して貼り付け、マイクロスイッチのセンサー１２に所要のシート状の電池（図示せず）を配設した制御器１３を薄いケーブル（図示せず）を介してスピーカー２に接続した。
【００３５】
そして、ドアーを開閉して試験した結果、スピーカー２を直接にドアーにはりつけ場合に比べて大きな音量のサイレンの警報を発することができ、しかも音質も向上できた。
【００３６】
なお、図５のように窓ガラスにも容易に貼り付けて設置でき、また図６のようにＥＬシート１４をスピーカー２に貼り付けて警報等を表示することもできる。装置１の外面に上記したように防水シートを貼り付けて使用するのが、雨水等の侵水から保護できて好ましい。
【００３７】
また、図７、図８（ａ）、（ｂ）のようにスピーカー２の裏面側に１〜３ｍｍ深さの空洞部１６を設けると、シート状のスピーカーの振動を効果的にできて、空気に振動をよりよく伝達でき、音量を大きくできる。
【００３８】
またさらに、図９のようにスピーカー２を２重に重ね合わせると、アンプで調音された共鳴音源を前後のスピーカーから出力でき、共鳴がなされて音圧レベルを大幅に向上できる。
【図面の簡単な説明】
【００３９】
【図１】本発明の一実施例の基本的構成説明用側面図、
【図２】同上の複数のスピーカーを重ねた側断面図、
【図３】同上のスピーカーの一部拡大した説明用側断面図、
【図４】同上の使用例の説明図、
【図５】同上の他の使用例の説明図、
【図６】同上のさらに他の実施例の説明図、
【図７】同上のさらに他の実施例の背面図、
【図８】同上のさらに他の実施例の背面図（ａ）、（ｂ）、
【図９】同上のさらに他の実施例の側面図（ａ）と正面図（ｂ）。
【符号の説明】
【００４０】
１…シート状防犯等の警告装置      ２…スピーカー      ３…表示
５…両面接着テープ                ６…通気性シート    ７…両面接着テープ
８…開閉部                      １６…空洞部        １７…支持材
【図１】
0004445746.tif 000002
【図２】
0004445746.tif 000003
【図３】
0004445746.tif 000004
【図４】
0004445746.tif 000005
【図５】
0004445746.tif 000006
【図６】
0004445746.tif 000007
【図７】
0004445746.tif 000008
【図８】
0004445746.tif 000009
【図９】
0004445746.tif 000010